(57)【要約】【課題】開封回数をより容易に確認することが出来ると共に、基板ケースごとの偽造にもより有効に対処し得る、新規な構造の遊技機用基板ケースを提供すること。【解決手段】本体筒部２４と蓋筒部３４の少なくとも一方に、接着剤５４ａ，５４ｂを収容する接着剤収容部４６ａ，４６ｂを設けると共に、該本体筒部２４および該蓋筒部３４を互いに固定する止め具６２の挿入操作によって該接着剤収容部４６ａ，４６ｂから該接着剤５４ａ，５４ｂを流出せしめる流出手段５２、７０を設けて、該接着剤収容部４６ａ，４６ｂから流出せしめられた該接着剤５４ａ，５４ｂを該止め具６２の挿入操作によって流出前とは異なる色に変化せしめるようにした。【選択図】図８
2009207623.tif 000002
【特許請求の範囲】
【請求項１】
ケース本体に対して蓋部材が組み付けられてなり、該ケース本体に複数の本体筒部が一体形成されていると共に、該蓋部材において該本体筒部に対応する位置に複数の蓋筒部が一体形成されており、該蓋部材が該ケース本体に対して組み付けられた状態で、それぞれの該本体筒部と該蓋筒部の内部空間が繋がった状態となるように位置せしめられる一方、該本体筒部と該蓋筒部とを互いに固定する止め具を該本体筒部と該蓋筒部の少なくとも一組に跨って挿入することによって該ケース本体と該蓋部材を固定して、該ケース本体と該蓋部材とで囲まれて形成された収容空間に制御基板を収容する遊技機用基板ケースにおいて、
前記ケース本体が前記本体筒部を含んで透明とされると共に、前記蓋部材が前記蓋筒部を含んで透明とされており、接着剤を収容する接着剤収容部を該本体筒部と該蓋筒部の少なくとも一方に設け、前記止め具の挿入操作によって該接着剤収容部から該接着剤を流出せしめる流出手段を設ける一方、該流出手段で流出せしめられた該接着剤によって該止め具を挿入状態で固定すると共に、該接着剤収容部から流出せしめられた該接着剤の色を該止め具の挿入操作によって流出前の該接着剤の色とは異なるように変化せしめるようにしたことを特徴とする遊技機用基板ケース。
【請求項２】
前記接着剤が主剤と硬化剤からなる２液型接着剤とされており、該主剤と該硬化剤が互いに異なる色に着色されていると共に、該主剤と該硬化剤が互いに独立形成された複数の前記接着剤収容部のそれぞれに各別に収容されており、前記流出手段で該接着剤収容部から流出せしめられて互いに混合せしめられることによって流出前とは異なる色に変化せしめられるようにした請求項１に記載の遊技機用基板ケース。
【請求項３】
前記接着剤に着色料を内包したマイクロカプセルが混入せしめられていると共に、前記止め具の挿入操作によって該マイクロカプセルが破壊されて該着色料が流出せしめられることによって前記接着剤収容部からの流出前とは異なる色に変化せしめられるようにした請求項１又は２に記載の遊技機用基板ケース。
【発明の詳細な説明】
【技術分野】
【０００１】
本発明は、ケース本体と蓋部材が組み合わされて形成される収容空間内に制御基板を収容する遊技機用基板ケースに関するものである。
【背景技術】
【０００２】
従来から、パチンコ機やスロットマシン等の遊技機には、その遊技動作を制御するための各種電子回路やプログラム等を内蔵した制御基板が設けられている。
【０００３】
ところで、近年、このような制御基板を自己に有利なプログラムを内蔵した不正な制御基板に取り替えたり、制御基板に不正な信号を与えて誤動作せしめること等によって遊技機の動作を異ならせて、例えばパチンコ機において多くの賞球を獲得する等の不正行為が行なわれることがあり、問題となっている。
【０００４】
そこで、制御基板に対する不正行為を防止するために、幾つかの重要な制御基板は、例えば特許文献１に記載されている如き特殊な構造を有する基板ケースに収容された状態で遊技機に取り付けられるようになっている。このような基板ケースは、一般的には、ケース本体に一体形成された本体筒部と、蓋部材に一体形成された蓋筒部とを例えばネジなどの止め具で互いに固定することによって、ケース本体と蓋部材が互いに封止状態で固定されるようになっている。そして、これら本体筒部と蓋筒部の組が複数設けられることによって、複数回の封止と開封が行なえるようになっている。
【０００５】
このようにすれば、基板ケースを開封するためには互いに固定された本体筒部と蓋筒部をケースから切り離すなどして破壊しなければならず、破壊の痕跡が残る。従って、かかる破壊の痕跡の個数から基板ケースの開封回数を知ることが出来、予定の開封回数と異なる場合には、不正に開封されたことを検出することが出来ると共に、不正な開封を未然に防止することが出来る。
【０００６】
ところが、遊技機の基板ケースは、内部の状態を外部から視認可能とするために、透明に形成されていることから、基板ケースに一体的に形成される本体筒部と蓋筒部も透明であることが多い。それ故、基板ケースから切り離された本体筒部および蓋筒部の個数が一見して判別し難いという問題があった。
【０００７】
また、特許文献１に記載の基板ケースにおいては、特殊な工具を用いる等すれば止め具を開操作して、痕跡を残すことなく基板ケースを開封することが可能であった。そこで、例えば特許文献２や特許文献３に記載のように、止め具を接着固定することによって、止め具の開操作をより困難にする遊技機用基板ケースも提案されている。
【０００８】
しかし、特許文献２や特許文献３に記載の如き遊技機用基板ケースにおいても、例えば止め具が接着された状態まで再現した基板ケースを用意して、基板ケースごと不正な制御基板に交換されたような場合には、不正行為を検出することは困難であった。
【０００９】
【特許文献１】特開平１０−２４９０２１号公報
【特許文献２】特開２００４−４９４２８号公報
【特許文献３】特開２００２−２５３８１１号公報
【発明の開示】
【発明が解決しようとする課題】
【００１０】
ここにおいて、本発明は上述の如き事情を背景として為されたものであって、その解決課題とするところは、開封回数をより容易に確認することが出来ると共に、基板ケースごとの偽造にもより有効に対処し得る、新規な構造の遊技機用基板ケースを提供することにある。
【課題を解決するための手段】
【００１１】
以下、前述の如き課題を解決するために為された本発明の態様を記載する。なお、以下に記載の各態様において採用される構成要素は、可能な限り任意の組み合わせで採用可能である。
【００１２】
すなわち、本発明の第一の態様は、ケース本体に一体形成された複数の本体筒部と、蓋部材に一体形成された複数の蓋筒部の内部空間が繋がった状態で、該本体筒部と該蓋筒部の少なくとも一組を止め具で互いに固定することによって、該ケース本体と該蓋部材とで囲まれた収容空間を形成して、該収容空間に制御基板を収容する遊技機用基板ケースにおいて、該ケース本体が該本体筒部を含んで透明とされると共に該蓋部材が該蓋筒部を含んで透明とされており、接着剤を収容する接着剤収容部を該本体筒部と該蓋筒部の少なくとも一方に設けると共に、前記止め具の挿入操作によって該接着剤収容部から該接着剤を流出せしめる流出手段を設けて、該流出手段で流出せしめられた該接着剤で該止め具を挿入状態で固定する一方、該流出手段で流出せしめられた該接着剤の色を、該止め具の挿入操作によって流出前の該接着剤の色とは異なるように変化せしめるようにしたことを、特徴とする。
【００１３】
本態様に従う構造とされた遊技機用基板ケースによれば、止め具が本体筒部乃至は蓋筒部の少なくとも一方に接着剤で固定されることから、本体筒部と蓋筒部の固定状態がより強固に発現せしめられる。これにより、ケース本体と蓋部材の組付状態を解除することをより困難にすることが出来る。
【００１４】
さらに、本体筒部と蓋筒部、および止め具に接着剤が被着されることから、止め具を不正に操作してケースを開封しようとした場合等には、接着剤に傷などの痕跡が残る。それ故、例えばキャップ部材で止め具を隠蔽した構造のように、不正な開封後に新たなキャップ部材で封止されて、開封前と同様の外観を再現されるおそれも軽減することが出来る。
【００１５】
それと共に、特に本態様においては、接着剤収容部に収容された接着剤が、流出手段で流出せしめられると、流出前とは異なる色に変化せしめられるようになっており、接着剤収容部から流出せしめられる前の硬化前の色と、接着剤収容部から流出せしめられた硬化後の色が異ならされるようになっている。そこにおいて、接着剤の色を偽造するためには、接着剤の組成や混入された着色料等の配合量を把握しなければならず、同じ色の接着剤を偽造することは非常に困難である。従って、接着された止め具を無理矢理引き抜いた後に、別途に用意した接着剤で止め具を再び接着するような偽造も、接着剤の色が異なることからより容易に検出することが出来る。更に、接着剤の偽造が困難とされることから、止め具が接着された状態を再現した基板ケースを偽造することも困難とすることが出来て、基板ケースごとの偽造にもより有効に対処することが出来る。なお、本態様における接着剤の色は、有色のみならず無色も含む。
【００１６】
また、基板ケースの封止に使用された接着剤は接着剤収容部への収容状態から変色せしめられて、未だ使用されていない接着剤とは色が異ならされることから、変色せしめられた接着剤が存する本体筒部と蓋筒部の個数、乃至は未だ変色せしめられていない接着剤が存する本体筒部と蓋筒部の個数から、基板ケースの開封回数を容易に確認することが出来る。
【００１７】
そして、本態様によれば、接着剤による止め具の固定と、かかる接着剤の変色が、止め具の挿入操作に伴って行われることから、ケースの組付工程を増加することもなく、不正行為の防止効果および開封回数の確認の容易性の向上が図られる。
【００１８】
なお、本態様における止め具としては、各種のものが採用可能であり、双方向ネジや一方向ネジ、或いはスプリングピンなどが例示される。また、接着剤を収容する接着剤収容部および接着剤収容部から接着剤を流出せしめる流出手段の具体的な構造としても各種の態様が採用可能であり、例えば、本体筒部の内周面に開口する空間を本体筒部に形成して、かかる空間内に接着剤を収容した状態で開口部を蓋で覆蓋することによって接着剤収容部を構成すると共に、止め具の挿入操作に際して止め具を蓋に当接せしめて蓋を開放することによって接着剤を流出せしめても良いし、或いは、接着剤を封入した袋体を接着剤収容部として本体筒部に設けて、止め具の挿入操作に際して止め具でかかる袋体を破壊して接着剤を流出せしめる等しても良い。
【００１９】
また、接着剤収容部から流出せしめられた接着剤を変色せしめる具体的な方法としては、本発明の第二の態様として、前記第一の態様に係る遊技機用基板ケースにおいて、前記接着剤を主剤と硬化剤からなる２液型接着剤として、該主剤と該硬化剤を互いに異なる色に着色すると共に複数の接着剤収容部に各別に収容して、前記流出手段で該接着剤収容部から流出せしめて互いに混合する態様が、好適に採用され得る。
【００２０】
このようにすれば、接着剤収容部から流出せしめられた接着剤を容易に異なる色に変化させることが出来る。そして、主剤および硬化剤のそれぞれが着色されていることから、接着剤を偽造するためには、主剤および硬化剤のそれぞれについてその色を偽造する必要がある。これにより、接着剤の偽造をより困難とすることが出来る。なお、本態様においても、主剤と硬化剤の色として、無色を採用することも可能である。例えば、主剤を有色として、硬化剤を無色とした場合には、これら両剤が混合されることによって、主剤の有する色が硬化剤で薄められて異なる色が発現せしめられることとなる。
【００２１】
更にまた、接着剤収容部から流出せしめられた接着剤を変色せしめる具体的な方法として、本発明の第三の態様として、前記第一又は第二の態様に係る遊技機用基板ケースにおいて、前記接着剤に着色料を内包したマイクロカプセルを混入せしめて、前記止め具の挿入操作によって該マイクロカプセルを破壊して該着色料を流出せしめる態様も、好適に採用され得る。
【００２２】
このようにすれば、１液型接着剤についても、接着剤収容部からの流出前と流出後で色を変化させることが出来る。また、例えば略無色透明の状態から、着色料を分散させて所定の色に変化せしめること等も出来る。そこにおいて、本態様は、２液型接着剤に用いることも可能であって、例えば、主剤および硬化剤を、本態様を用いた略無色透明の状態で接着剤収容部に収容しておいて、接着剤収容部からの流出および混合に際してマイクロカプセルを破壊することによって、所定の色を発現せしめる等しても良い。
【００２３】
さらに、本態様は、前記第二の態様と組み合わせて用いることも可能である。例えば、予め着色された主剤および硬化剤に、主剤および硬化剤の色とは更に異なる色の着色料を内包したマイクロカプセルを混入する。このようにすれば、主剤および硬化剤が互いに混合せしめられる際に、マイクロカプセルに含まれた着色料も混合せしめることが出来て、単に主剤および硬化剤が混ぜ合わされた色とは更に異なる色に変化せしめることも出来る。
【発明を実施するための最良の形態】
【００２４】
以下、本発明を更に具体的に明らかにするために、本発明の実施形態について、図面を参照しつつ、詳細に説明する。
【００２５】
先ず、図１および図２に、本発明の第一の実施形態としての遊技機用基板ケースに係る基板ケース１０を示す。基板ケース１０はパチンコ機やスロットマシン等の遊技機の作動を制御する制御基板１２を収容するケースであり、ケース本体１４に対して、蓋部材１６が重ね合わされて組み付けられた構造とされており、制御基板１２を収容した状態で、遊技機の適当な位置に取り付けられるようになっている。なお、以下の説明において、上下方向とは、特に断りの無い限り、図２における上下方向を言うものとする。
【００２６】
より詳細には、ケース本体１４は、ポリカーボネート（ＰＣ）などの透明な硬質の合成樹脂材料によって形成されており、図３に示すように、矩形状とされた底板１８の外周縁部に沿って全周に亘って延びる周壁２０が一体的に突設されて、一方に開口する略箱体形状とされている。
【００２７】
さらに、ケース本体１４の長手方向一方（図３中、左側）の側壁２２には、複数（本実施形態においては、４つ）の本体筒部２４が、側壁２２の延び出し方向（図３中、上下方向）に並んで一体形成されている。本体筒部２４は、上方に開口するピン挿通孔２５を有する有底円筒形状とされており、側壁２２から外方（図３中、左方向）に延び出す柱状の本体連結部２６と一体形成されている。これにより、ケース本体１４は、本体筒部２４および本体連結部２６を含んで一体形成されている。
【００２８】
ここにおいて、本体筒部２４の軸方向は、ケース本体１４と蓋部材１６との重ね合わせ方向（図２中、上下方向）と等しくされており、ピン挿通孔２５の開口方向（本体筒部２４の中心軸線が延びる方向）と、ケース本体１４の開口方向（底板１８に対して略直交する方向）とが、互いに略平行とされている。また、本体筒部２４、本体連結部２６、および側壁２２の上面は同一平面上に形成されている一方、本体筒部２４の下端面は、底板１８よりもやや上方に位置せしめられている（図５参照）。
【００２９】
なお、このような構造とされたケース本体１４には、底板１８や周壁２０等の適当な位置に取付片が形成されており、かかる取付片を介して、ケース本体１４を含んで構成された基板ケース１０を遊技機の所定の位置に取り付けることが可能とされている。
【００３０】
一方、蓋部材１６は、ケース本体１４と同様に、ポリカーボネート（ＰＣ）などの透明な硬質の合成樹脂材料によって形成されており、図４に示すように、矩形状とされた天板２８の外周縁部に沿って全周に亘って延びる周壁３０（図５参照）が一体的に突設されて、一方に開口する略箱体形状とされている。
【００３１】
さらに、蓋部材１６の長手方向一方（図４中、左側）の側壁３２、より詳細には、ケース本体１４への組み付け状態において本体筒部２４が位置せしめられる側には、本体筒部２４と等しい数（本実施形態においては、４つ）の蓋筒部３４が、側壁３２の延び出し方向（図４中、上下方向）に並んで一体形成されている。蓋筒部３４は、軸方向両方向に開口する貫通孔３６を有する略円筒形状とされており、側壁３２から外方（図４中、左方向）に延び出す柱状の蓋連結部３８と一体形成されている。これにより、蓋部材１６は、蓋筒部３４および蓋連結部３８を含んで一体形成されている。
【００３２】
これら複数の蓋筒部３４は何れも等しい形状とされており、ケース本体１４に設けられた本体筒部２４の外径寸法と等しい外径寸法をもって上方に開口する略円筒形状とされると共に、その中心軸線の延び出し方向は、ケース本体１４と蓋部材１６との重ね合わせ方向と等しくされている。更に、蓋筒部３４、蓋連結部３８、および側壁３２の下面は同一平面上に形成されている一方、蓋筒部３４の上端面は、天板２８よりもやや下方に位置せしめられている（図５参照）。
【００３３】
図５に示すように、本実施形態において、貫通孔３６には、軸方向下端部において径方向内方に突出する段差面４０が形成されており、段差面４０を挟んで、軸方向下方が小径のピン挿通孔４２とされている一方、軸方向上方が大径の頭部挿通孔４４とされている。ここにおいて、ピン挿通孔４２の径寸法は、本体筒部２４に形成されたピン挿通孔２５の径寸法と等しくされており、後述するピン６２の押圧板部７０の径寸法よりも小さくされている一方、頭部挿通孔４４の径寸法は、押圧板部７０の径寸法よりも僅かに大きくされている。
【００３４】
さらに、特に本実施形態における蓋筒部３４には、頭部挿通孔４４を囲むようにして、一対の収容空所４６ａ，４６ｂが形成されている。収容空所４６ａ，４６ｂは、蓋筒部３４の周方向に所定幅をもって延びる空所とされており、本実施形態においては、収容空所４６ａ，４６ｂは、それぞれ、蓋筒部３４を略半周する周方向長さをもって形成されている。更に、収容空所４６ａ，４６ｂには、それぞれ、蓋筒部３４の軸方向の上端部の適当な箇所に空気孔４８が形成されていると共に、下端部の適当な箇所に排出孔５０が形成されており、これら空気孔４８、排出孔５０は、頭部挿通孔４４の内周面５１に開口せしめられて、収容空所４６ａ，４６ｂを外部空間と連通せしめるようにされている。そして、空気孔４８、排出孔５０の頭部挿通孔４４への開口部は、蓋筒部３４と一体形成された封止ピン５２によって液密に封止されている。
【００３５】
これら収容空所４６ａ，４６ｂには、接着剤が収容される。かかる接着剤としては、従来公知の各種の接着剤が適宜に採用可能であるが、本実施形態においては、２液型のエポキシ系接着剤が用いられており、一方の収容空所４６ａに主剤（Ａ剤）５４ａが収容されると共に、他方の収容空所４６ｂに硬化剤（Ｂ剤）５４ｂが収容されている。なお、後述するピン６２の挿入操作でＡ剤とＢ剤を混合し易くしたり、連通路７８内の流動を容易とするために、超低粘度のＡ剤および超低粘度のＢ剤を用いることが、より好ましい。このように、本実施形態においては、収容空所４６ａ，４６ｂを含んで、接着剤収容部が構成されている。
【００３６】
さらに、これら主剤５４ａおよび硬化剤５４ｂは、例えば顔料を混入すること等によって互いの色が異ならされている。本実施形態においては、主剤５４ａは赤色、硬化剤５４ｂは青色に着色されている。そこにおいて、特に本実施形態においては、蓋部材１６およびそれと一体形成される蓋筒部３４が透明とされていることから、収容空所４６ａ，４６ｂに収容された主剤５４ａおよび硬化剤５４ｂの色が外部から視認可能とされている。
【００３７】
そして、このような構造とされた蓋筒部３４が、側壁３２と直交して蓋部材１６の水平方向外方に突出する蓋連結部３８を介して、蓋部材１６に一体的に連結されている。なお、蓋連結部３８の側壁３２からの突出寸法および幅寸法は、本体連結部２６の側壁２２からの突出寸法および幅寸法と等しくされている。更に、各蓋連結部３８の配列方向での離隔距離は、各本体連結部２６の配列方向での離隔距離と等しくされている。
【００３８】
また、図示は省略するが、蓋部材１６には、制御基板１２に設けられたコネクタを外部と連通せしめるための窓や、制御基板１２の熱を外部に排出するための排熱孔などが適宜に形成される。そして、制御基板１２は、蓋部材１６に対してネジ止めなどによって固定される。なお、制御基板１２は、遊技機の作動を制御する制御基板であり、遊技機としてのパチンコ機やスロットマシンの作動を全体的に制御する主制御基板や、主制御基板からの制御信号に基づいて賞媒体の払い出しを制御する払出制御基板等が例示される。
【００３９】
上述の如き構造とされたケース本体１４と蓋部材１６を組み付ける際には、先ず、ケース本体１４と、制御基板１２を取り付けた蓋部材１６とを、互いの開口部を対向せしめると共に、蓋部材１６をケース本体１４の本体筒部２４が設けられた側と反対方向（図１中、右方向）に僅かにずらした状態で重ね合わせる。
【００４０】
そして、蓋部材１６を、ケース本体１４に対して本体筒部２４が設けられた方向へスライド変位せしめる。特に本実施形態においては、ケース本体１４において本体筒部２４が形成された側と反対側の端部に、外方に突出する一対の突起５６，５６が形成されている一方、蓋部材１６の周壁３０において蓋筒部３４が形成された側と反対側に、下方に突出する突出板部５８が形成されており、かかる突出板部５８において、ケース本体１４への組み付け状態で突起５６に対応する位置に、内方に開口する一対の挿入孔６０、６０が形成されている。そして、蓋部材１６がケース本体１４に対してスライド変位せしめられることによって、突起５６が挿入孔６０に嵌め入れられる。これにより、ケース本体１４と蓋部材１６の本体筒部２４および蓋筒部３４が設けられた側と反対側の部位が、互いに固定されることとなる。なお、ケース本体１４と蓋部材１６との組み付けに際する具体的な構造としては、遊技機用基板ケースにおける各種の組み付け構造が適宜に採用可能であって、上述の如き構造に限定されるものでは無い。
【００４１】
そして、上述のようにケース本体１４に対して蓋部材１６をスライド変位せしめることによって、蓋部材１６に設けられたそれぞれの蓋筒部３４が、ケース本体１４の本体筒部２４上に変位せしめられる。これにより、図５にも示すように、それぞれの本体筒部２４と蓋筒部３４が、上下方向に同一中心軸上で重ね合わされる。これにより、本体筒部２４のピン挿通孔２５と、蓋筒部３４の貫通孔３６が同一中心軸上に重ね合わされて互いに連通せしめられることによって、本体筒部２４の内部空間と蓋筒部３４の内部空間が互いに連通せしめられることとなる。なお、本体筒部２４と蓋筒部３４は、必ずしも互いに接触状態とされる必要はなく、隙間を隔てて位置せしめられても良い。
【００４２】
次に、同一中心軸上に位置せしめられた本体筒部２４と蓋筒部３４の組の何れか一つに対して、止め具としてのピン６２が挿入されて固定される。図６および図７に、ピン６２を示す。ピン６２は、スプリングピン６４に対して押圧部材６６が組み付けられて構成されている。
【００４３】
スプリングピン６４は、鉄鋼やばね鋼、ばね用ステンレス鋼等の板材を丸めることによって形成されており、周方向の一部において軸方向に蛇行しながら延びる切り込み６８が形成された筒形状とされている。これにより、スプリングピン６４は、縮径方向の力が及ぼされることによって、拡径方向の復元力が生ぜしめられるようになっている。また、スプリングピン６４は、縮径方向の力が及ぼされていない状態における径寸法が、本体筒部２４および蓋筒部３４のピン挿通孔２５、４２よりも僅かに大きくされている。なお、スプリングピン６４の具体的な形状はあくまでも例示である。例えば、切り込み６８として、軸方向に延びる直線形状を採用する等しても良い。また、板材を一周以上巻いてスプリングピン６４を形成すること等も可能である。
【００４４】
一方、押圧部材６６は、スプリングピン６４の径寸法よりも大きな径寸法を有する全体として円板形状とされた押圧板部７０の中央部分から厚さ方向一方の側に突出する挿入軸７２が一体形成された構造とされている。ここにおいて、押圧板部７０の径寸法は、蓋筒部３４におけるピン挿通孔４２の径寸法よりも大きく、頭部挿通孔４４の径寸法よりも僅かに小さくされている。更に、押圧板部７０には、径方向外方に開口せしめられて板厚方向に貫通する貫通路としての切欠７４が１つ形成されている。なお、切欠７４の押圧板部７０の径方向での寸法は、後述するピン６２の押し込みに際して、蓋筒部３４の頭部挿通孔４４内に突出して設けられた封止ピン５２が切欠７４内を通過してしまうことを防ぐために、封止ピン５２の頭部挿通孔４４内への突出寸法よりも小さくされていることが好ましい。そして、挿入軸７２がスプリングピン６４の軸方向一方の端部から挿入されることによって、ピン６２が構成されており、押圧板部７０がピン６２において径方向外方に突出する鍔状に設けられると共に、押圧板部７０に形成された切欠７４が、スプリングピン６４に対して径方向で偏倚して、スプリングピン６４の中心軸上から外れて位置せしめられる。このように、本実施形態においては、スプリングピン６４によって止め具の脚部が構成されると共に、押圧板部７０によって止め具の頭部が構成されている。そして、スプリングピン６４において押圧板部７０が設けられた側と反対側の端部が、挿入端部７５とされる。
【００４５】
このような構造とされたピン６２を、図５に示すように、蓋筒部３４における貫通孔３６の上側開口部から、スプリングピン６４を挿入端部７５から本体筒部２４に向けて挿し入れる。そして、押圧板部７０の上面７６を工具等で押し込むことによって、図８に示すように、スプリングピン６４を蓋筒部３４のピン挿通孔４２および本体筒部２４のピン挿通孔２５に跨って挿入する。このように、本実施形態においては、押圧板部７０の上面７６が、挿入操作に際して工具等が作用する挿入操作端面とされている。これにより、スプリングピン６４が蓋筒部３４および本体筒部２４のピン挿通孔４２，２５に跨って挿入されて縮径せしめられる。その結果、スプリングピン６４の復元力がピン挿通孔４２，２５に作用して、スプリングピン６４の外周面がピン挿通孔４２，２５の内周面に押し当てられる。このようにして、一組の本体筒部２４と蓋筒部３４がスプリングピン６４を介して互いに固定される。
【００４６】
さらに、特に本実施形態においては、ピン６２を蓋筒部３４および本体筒部２４に挿入して押し込む過程で、ピン６２の押圧板部７０が、頭部挿通孔４４の内方に突出せしめられた封止ピン５２に当接せしめられて、封止ピン５２を基端部から折損する。これにより、収容空所４６ａ，４６ｂの空気孔４８および排出孔５０が頭部挿通孔４４内に開口せしめられて、収容空所４６ａ，４６ｂにそれぞれ収容されていた主剤５４ａおよび硬化剤５４ｂが頭部挿通孔４４内に流出せしめられる。このように、本実施形態においては、封止ピン５２、押圧板部７０を含んで流出手段が構成されている。なお、封止ピン５２は中空構造とされて、何れの部位で折損されても収容空所４６ａ，４６ｂが外部空間と連通せしめられるようにすることがより好ましい。
【００４７】
そこにおいて、ピン６２は、蓋筒部３４および本体筒部２４への挿入状態で、押圧板部７０が蓋筒部３４における貫通孔３６の段差面４０からやや浮いた状態で位置せしめられる。それと共に、蓋筒部３４の段差面４０に開口せしめられたピン挿通孔４２の開口部は、ピン６２のスプリングピン６４と、スプリングピン６４に挿し込まれた押圧部材６６の挿入軸７２によって封止されている。これにより、収容空所４６ａ，４６ｂから流出せしめられた主剤５４ａおよび硬化剤５４ｂは、ピン挿通孔４２に殆ど落ち込むことなく、段差面４０上で互いに混ざり合って堆積せしめられる。
【００４８】
また、ピン６２の押圧板部７０における切欠７４と頭部挿通孔４４の内周面５１との間には、押圧板部７０の上面７６と下面７９を挿入方向で連通する連通路７８が形成される。これにより、主剤５４ａおよび硬化剤５４ｂが互いに混ざり合いながら更に堆積せしめられると、これら主剤５４ａおよび硬化剤５４ｂは、連通路７８を通って、押圧板部７０の下面７９から上面７６上に回りこんで、上面７６上に堆積せしめられる。このように、本実施形態においては、連通路７８が、接着剤を止め具の挿入操作端面に回り込ませる流路とされている。その後、主剤５４ａが硬化せしめられて、上面７６を含む押圧板部７０の略全体を覆う接着層８０が形成される。このように、本実施形態においては、挿入操作端面としての押圧板部７０の上面７６が、接着剤で覆われる被覆面とされている。そして、接着層８０でピン６２の押圧部材６６が蓋筒部３４に対して接着されることによって、ピン６２は、スプリングピン６４をピン挿通孔２５，４２に挿入した状態で固定されることとなる。
【００４９】
さらに、特に本実施形態においては、主剤５４ａは赤色、硬化剤５４ｂは青色と互いに異なる色に着色されている。これにより、収容空所４６ａ，４６ｂから流出せしめられた主剤５４ａと硬化剤５４ｂが混合されることによって、接着層８０には、紫色が発現せしめられる。このように、本実施形態においては、接着剤としての主剤５４ａ、硬化剤５４ｂが、収容空所４６ａ，４６ｂから流出せしめられた硬化後には収容空所４６ａ，４６ｂに収容された硬化前の色と異なる色に変化せしめられる。また、本実施形態においては、ピン６２の押し込みに際して、押圧板部７０やピン６２を押し込む工具などが主剤５４ａ、硬化剤５４ｂ内に浸入することによって、主剤５４ａと硬化剤５４ｂの色の混合がより好適に行なわれるようになっている。
【００５０】
以上のようにして、本体筒部２４と蓋筒部３４が、スプリングピン６４の復元力によって互いに固定されると共に、ピン６２が接着層８０で固定されることによって、本体筒部２４と蓋筒部３４が解除不能に固定されるようになっている。これにより、ケース本体１４に対して蓋部材１６が固定されて、ケース本体１４と蓋部材１６の間に、収容空間８２が形成されると共に、かかる収容空間８２内に、制御基板１２が収容されることとなる。
【００５１】
そして、ケース本体１４から蓋部材１６を取り外す場合には、本体連結部２６と蓋連結部３８が重ね合わされて構成された連結部をニッパ等の工具で切断して、互いに固定された本体筒部２４と蓋筒部３４を、ケース本体１４および蓋部材１６から切り離す。これにより、ケース本体１４および蓋部材１６の固定状態が解除されて、蓋部材１６を、ケース本体１４に対して組付解除方向（図１中、右方向）に変位せしめることが可能とされる。
【００５２】
本態様に従う構造とされた基板ケース１０においては、ピン６２が接着層８０で固定されていることから、ピン６２を無理矢理引き抜くことをより困難とすることが出来る。これにより、本体筒部２４と蓋筒部３４との固定状態をより強固に発現せしめて、不正な開封をより有効に防止することが出来る。
【００５３】
そして、特に本実施形態においては、ピン６２の押圧部材６６の略全体が接着層８０で覆われて、押圧板部７０の上面７６が接着層８０で覆われている。これにより、外部からの押圧板部７０への工具の接触等を略不可能とすることが出来る。従って、押圧板部７０を工具等で引っ掛けて無理矢理引き抜くなどの、ピン６２が不正に開操作されるおそれをより有効に軽減することが出来る。更に、特に本実施形態においては、押圧板部７０と蓋筒部３４の頭部挿通孔４４の径寸法が略等しくされることによって、押圧板部７０が頭部挿通孔４４の内周面５１に嵌め入れられて、押圧板部７０と頭部挿通孔４４の内周面５１との間に殆ど隙間が形成されないようになっており、隙間に工具を挿し入れることが困難とされている。それに加えて、押圧板部７０に形成される切欠７４が１つのみとされていることから、切欠７４に工具を引っ掛けてピン６２を引き抜くことも困難とされている。更に、特に本実施形態においては、収容空所４６ａ，４６ｂの排出孔５０が、挿入状態におけるピン６２の押圧板部７０よりも上方に位置せしめられている。これにより、押圧板部７０の上面７６上に主剤５４ａおよび硬化剤５４ｂを流出せしめて、上面７６をより確実に被覆出来るようにされている。
【００５４】
このように、接着層８０でピン６２が固定されていることから、本体筒部２４と蓋筒部３４との固定状態をより強固に発現せしめて、不正な開操作をより困難にすることが出来る。そして、例えばピン６２を不正に引き抜こうとした場合には、接着層８０に傷などの痕跡が残る。これにより、不正に開封された事実を容易に確認することが出来る。また、接着層８０に傷が残ることから、不正に開封しようとする者を躊躇させることが出来て、不正行為の予防を図ることが出来る。
【００５５】
さらに、特に本実施形態においては、主剤５４ａと硬化剤５４ｂが着色されており、両色が混合されることによって、接着層８０に、硬化前と異なる色が発現せしめられるようになっている。そこにおいて、接着剤の色合いを再現するためには配合まで調べる必要があり、接着剤の色合いまで再現することは実質的に不可能である。従って、例えばピン６２を無理矢理引き抜いた後に、ピン６２を再び挿入して、押圧板部７０の上面７６を新たな接着剤で被覆したとしても、色の違いから不正に開封された事実を明らかにすることが出来て、偽造を困難にすることが出来る。また、接着層８０の色を再現することが困難とされることから、ピン６２が接着剤で固定された状態の基板ケースを偽造することも困難とすることが出来て、基板ケースごとの偽造にもより有効に対処することが出来る。更に、本実施形態においては、接着層８０が押圧板部７０の上面７６に回り込むことから、接着層８０の色を基板ケース１０の上方からも容易に確認することが可能とされている。
【００５６】
更にまた、互いに固定された本体筒部２４と蓋筒部３４に存する接着層８０が着色されていることによって、互いに固定されている本体筒部２４と蓋部材３４の位置を外部から容易に視認することが出来る。これにより、基板ケース１０の開封回数を容易に確認することが出来る。特に本実施形態においては、蓋筒部３４が透明とされていることによって、収容空所４６ａ，４６ｂに収容された主剤５４ａおよび硬化剤５４ｂの色を外部から視認することも可能とされていることから、未使用の本体筒部２４および蓋筒部３４の個数も容易に確認することが可能とされている。
【００５７】
そして、本実施形態においては、主剤５４ａおよび硬化剤５４ｂの収容空所４６ａ，４６ｂからの流出と、それによる主剤５４ａと硬化剤５４ｂの混色および押圧板部７０の被覆が、ピン６２の挿入操作によって行なわれるようにされている。これにより、ケース本体１４と蓋部材１６の組み付け工程の増加を招くことなく、不正行為に対する防止効果および開封回数の確認の容易性を向上することが出来るのである。
【００５８】
次に、図９に、本発明の第二の実施形態としての基板ケースの要部を示す。なお、以下の説明において、前述の第一の実施形態と実質的に同様とされた部材および部位については、前述の第一の実施形態と同一の符号を付することによって、詳細な説明を省略する。
【００５９】
本実施形態においては、蓋筒部３４の段差面４０上に、例えばアルミニウムシートや樹脂とのラミネートシート等で形成された一対の袋体９０ａ，９０ｂが配設されており、袋体９０ａに主剤５４ａが収容されている一方、袋体９０ｂに硬化剤５４ｂが収容されている。このように、本実施形態においては、袋体９０ａ，９０ｂにより、接着剤収容部が構成されている。
【００６０】
そして、図９（ａ）に示すように、ピン６２が蓋筒部３４の貫通孔３６に挿し込まれる。ここにおいて、本実施形態におけるピン６２には、押圧板部７０の下面７９から下方に突出する尖鋭形状の突起９２が適当な個数形成されており、ピン６２を押し込むことによって、袋体９０ａ，９０ｂが突起９２で破られて、内部に収容された主剤５４ａ、硬化剤５４ｂが流出せしめられるようになっている。このように、本実施形態においては、突起９２を含んで、流出手段が構成されている。
【００６１】
これにより、袋体９０ａ，９０ｂから流出せしめられた主剤５４ａと硬化剤５４ｂが混合せしめられて、流出前と異なる色が発現せしめられると共に、段差面４０上に堆積せしめられる。そして、ピン６２を更に押し込むことによって、押圧板部７０と段差面４０との間に入り切らない主剤５４ａおよび硬化剤５４ｂは、切欠７４と内周面５１の間に形成された連通路７８を通じて、押圧板部７０の上面７６上に回り込まされる。このようにして、図９（ｂ）に示すように、押圧部材６６の全体を覆う接着層８０が形成されて、押圧板部７０の上面７６が接着層８０で被覆されることとなる。本態様によれば、より簡易な構成で、接着剤収容部および流出手段を構成することが出来る。
【００６２】
また、図１０に、本発明の第三の実施形態としての基板ケースの要部を示す。図１０（ａ）に示すように、本実施形態における蓋筒部３４には、前記第二の実施形態と同様に、段差面４０上に、主剤５４ａおよび硬化剤５４ｂをそれぞれ収容した一対の袋体９０ａ，９０ｂが設けられている。そして、特に本実施形態においては、止め具として、ワンウェイネジ９４が用いられている。
【００６３】
ワンウェイネジ９４は、頭部としてのネジ頭９６における挿入操作端面としての上面７６に形成されたネジ溝９７において、ドライバなどの工具を締付方向に回した際に工具の力を受ける面が軸方向に起立せしめられて工具の力を受けるようにされる一方、工具を緩み方向に回した際に工具の力を受ける面を傾斜せしめて、工具の力が逃がされることによって、締付方向への回転のみが許容されたネジである。
【００６４】
さらに、蓋筒部３４におけるピン挿通孔４２の内周面は平坦面とされている一方、本体筒部２４におけるピン挿通孔２５には、ワンウェイネジ９４の脚部９８を螺合せしめるネジ溝が形成されている。そして、図１０（ａ）に示すように、ワンウェイネジ９４を、脚部９８から蓋筒部３４の貫通孔３６に挿通せしめ、図１０（ｂ）に示すように、脚部９８を本体筒部２４のピン挿通孔２５に螺合せしめる。
【００６５】
かかるワンウェイネジ９４の貫通孔３６、ピン挿通孔４２への挿入に際して、ネジ頭９６が、袋体９０ａ，９０ｂを押し潰す。これにより、袋体９０ａ，９０ｂに収容された主剤５４ａ，５４ｂが流出せしめられる。ここにおいて、ワンウェイネジ９４のネジ頭９６の径寸法は蓋筒部３４の頭部挿通孔４４の径寸法よりも小さくされており、ネジ頭９６と頭部挿通孔４４の内周面５１との間には、所定の空隙１００が形成されている。そして、ワンウェイネジ９４が更に押し込まれることによって、主剤５４ａおよび硬化剤５４ｂの一部は、空隙１００を通じて、ネジ頭９６の上面７６に回り込まされる。このように、本実施形態においては、ネジ頭９６を含んで流出手段が構成されていると共に、空隙１００を含んで流路が構成されている。
【００６６】
そして、図１０（ｃ）に示すように、ネジ頭９６が段差面４０で係止されるまでワンウェイネジ９４がピン挿通孔２５に挿入されることによって、ワンウェイネジ９４が本体筒部２４に固定されると共に、蓋筒部３４の段差面４０が、ネジ頭９６と本体筒部２４の上面との間で狭持されて、本体筒部２４と蓋筒部３４が互いに固定されることとなる。更に、接着層８０によって、ネジ頭９６が蓋筒部３４に固定されると共に、主剤５４ａと硬化剤５４ｂの一部は、ワンウェイネジ９４の捻じ込みによってワンウェイネジ９４とピン挿通孔２５の間に入り込み、ワンウェイネジ９４とピン挿通孔２５を互いに直接に接着する。これにより、本体筒部２４と蓋筒部３４がより強固に固定される。そして、本態様によれば、ワンウェイネジ９４が捻じ込まれて回転せしめられることから、主剤５４ａと硬化剤５４ｂを攪拌することが出来て、主剤５４ａの色と硬化剤５４ｂの色との混合をより有効に行なうことが出来る。また、接着層８０がネジ頭９６の上面７６上に回り込まされて、ネジ頭９６のネジ溝９７内に入り込むことによって、ワンウェイネジ９４の操作をより困難にすることも出来る。
【００６７】
次に、図１１に、本発明の第四の実施形態としての基板ケースの要部を示す。本実施形態においては、蓋筒部３４における貫通孔３６の外側に、所定の周方向長さを有する収容空所１０２が形成されており、かかる収容空所１０２の周上の適当な箇所に、蓋１０４が開閉可能に設けられている。特に本実施形態においては、蓋１０４は、蓋筒部３４に形成された案内溝１０５で案内されて上下方向に移動可能とされており、案内溝１０５との摺接抵抗などによって、上方に位置せしめた閉状態と、下方に位置せしめた開状態が選択可能とされている。そして、蓋１０４の閉状態において、収容空所１０２が封止される一方、蓋１０４の開状態において、収容空所１０２が内周面５１に開口せしめられて、外部空間と連通せしめられるようになっている。更に、蓋１０４には、貫通孔３６の内方に突出する作用突部１０６が一体形成されている。
【００６８】
また、収容空所１０２には、蓋１０４を閉状態として、接着剤１０７が収容されている。接着剤１０７としては、例えばエポキシ系、アクリル系、ウレタン系などの１液型のものが用いられており、好適には、連通路７８内の流動を容易とするために、超低粘度のものが用いられる。このように、本発明において用いられる接着剤としては、必ずしも２液型のものに限定されるものではなく、１液型のものも採用可能である。更に、接着剤１０７には、図１２に示すように、着色料１０８を内包したマイクロカプセル１１０が混入せしめられている。本実施形態においては、着色料１０８として顔料が用いられている。そこにおいて、マイクロカプセル１１０に収容される着色料１０８の色は、接着剤１０７の色とは異ならされており、特に本実施形態においては、接着剤１０７は略無色透明とされている一方、マイクロカプセル１１０には、着色料１０８として青色の顔料が収容されている。
【００６９】
そして、蓋筒部３４の貫通孔３６に前記第一の実施形態と同様の構造とされたピン６２が挿し込まれることによって、押圧板部７０が、蓋１０４の作用突部１０６に当接せしめられる。更に、ピン６２の挿入操作に伴って、蓋１０４が開操作されて、収容空所１０２に収容された接着剤１０７が流出せしめられる。これにより、図１１（ｂ）に示すように、上面７６を含む押圧板部７０の略全体を覆う接着層８０が形成されることとなる。このように、本実施形態においては、蓋１０４と押圧板部７０を含んで流出手段が構成されている。
【００７０】
ここにおいて、ピン６２が押し込まれることによって、接着剤１０７に混合せしめられたマイクロカプセル１１０が潰される等して、内部に収容された着色料１０８がマイクロカプセル１１０から流出せしめられる。その結果、接着剤１０７の色が変化せしめられて、接着層８０には、硬化前とは異なる色が発現せしめられる。本実施形態においては、接着剤１０７が略無色透明とされると共に、着色料１０８が青色とされていることによって、接着層８０には青色が発現せしめられる。本実施形態から明らかなように、接着剤の色を変化せしめるには、互いに異なる色を有する２液の接着剤を混合するのみならず、１液型の接着剤の色を流出前と流出後で変化せしめる等しても良い。
【００７１】
以上、本発明の幾つかの実施形態について詳述してきたが、これらはあくまでも例示であって、本発明は、これらの実施形態における具体的な記載によって、何等、限定的に解釈されるものではない。
【００７２】
例えば、接着剤収容部から流出せしめられた接着剤を止め具の挿入操作によって流出前とは異なる色に変化せしめる具体的な構造として、図９に示した袋体９０ａに１液型接着剤を収容せしめると共に、袋体９０ｂに着色料を収容せしめる等しても良い。このようにしても、ピン６２の挿入操作に際して袋体９０ａ，９０ｂが破壊されて接着剤と着色料が混合せしめられることによって、接着剤の色を変化させることが出来る。
【００７３】
あるいは、図９に示した第二の実施形態において、主剤５４ａを収容した袋体９０ａと、硬化剤５４ｂを収容した袋体９０ｂに加えて、主剤５４ａおよび硬化剤５４ｂと異なる色の着色料を収容した袋体を、例えば袋体９０ａ，９０ｂの間などのピン６２の挿入操作に際して破壊可能な箇所に配設する等しても良い。このようにすれば、ピン６２の挿入操作に際して、袋体９０ａ，９０ｂおよび着色料を収容した袋体が破壊されて、主剤５４ａおよび硬化剤５４ｂに着色料が混合せしめられる。これにより、接着剤の色を更に異なる色に変化せしめることが出来る。
【００７４】
また、前記第一の実施形態においては、予め着色された主剤５４ａと硬化剤５４ｂが混合せしめられることによって、収容空所４６ａ，４６ｂからの流出前と異なる色が発現せしめられるようにされていたが、例えば、主剤５４ａと硬化剤５４ｂを略無色透明とすると共に、前記第四の実施形態の如きマイクロカプセル１１０を主剤５４ａと硬化剤５４ｂの少なくとも一方に混入せしめて、収容空所４６ａ，４６ｂからの流出に際してピン６２でマイクロカプセル１１０を破壊することによって、主剤５４ａと硬化剤５４ｂの混合と共に流出前と異なる色を発現せしめるなどしても良い。
【００７５】
また、図１３に示すように、前記第一の実施形態におけるピン６２に形成された切欠７４の代わりに、押圧板部７０の径方向外方に開口することなく、肉厚方向に貫通する貫通路１１２を形成する等しても良い。このようにすれば、押圧板部７０と蓋筒部３４の内周面５１との間を全周に亘って略隙間なく構成することが出来て、かかる隙間内への工具の差し込みなどをより困難にすることが出来ると共に、前記第一の実施形態における封止ピン５２をより確実に破砕することも出来る。
【００７６】
なお、止め具の具体的な構造は、前記各実施形態の如き構造に限定されるものではなく、従来公知の各種の止め具が適宜に採用可能である。
【００７７】
また、接着剤収容部の配設位置は、必ずしも蓋筒部に限定されるものではなく、本体筒部に設けても良いし、或いは、本体筒部と蓋筒部の両方に設ける等してもよい。また、前記各実施形態においては、止め具の頭部を用いて接着剤収容部から接着剤を流出せしめるようにされていたが、止め具の脚部を用いて接着剤を流出せしめること等も、勿論可能である。例えば、前記第二の実施形態（図９参照）において、袋体９０ａ，９０ｂを、頭部挿通孔４４の径寸法と略等しい径寸法をもって形成して、これら袋体９０ａ，９０ｂをピン６２の挿入方向で重ね合わせて段差面４０上に配設する等してもよい。このようにすれば、ピン６２の挿し込みに際して、脚部としてのスプリングピン６４の先端部が袋体９０ａ，９０ｂを破ることによって、接着剤を流出せしめることが出来る。
【００７８】
更にまた、本体筒部および蓋筒部の個数や配設位置は特に限定されるものでないことは、言うまでもない。例えば、前記実施形態においては、本体筒部および蓋筒部の組が４つ設けられていたが、それ以上設けることも可能であるし、それ以下としても良い。
【００７９】
なお、上記実施形態から把握できる本発明の好適な技術思想について以下に記載する。
【００８０】
（１）前記接着剤収容部に、前記接着剤を流出せしめる排出路を設けると共に、該排出路を封止する封止部を設け、前記止め具の挿入操作に際して該止め具で該封止部を破壊することによって、前記流出手段を構成した請求項１乃至３の何れか一つに記載の遊技機用基板ケース。
【００８１】
このようにすれば、簡易な構成で流出手段を構成することが出来る。なお、接着剤の流出をより円滑に行なうために、排出路と共に接着剤収容部の内部を外部空間と連通する空気孔を設けて、かかる空気孔を、排出路と同様に止め具の挿入操作に伴って破壊可能に封止する等しても良い。例えば、前記第一の実施形態においては、排出孔５０によって排出路が、空気孔４８によって空気孔が構成されており、封止ピン５２によって封止部が構成されている。
【００８２】
（２）前記止め具に、前記接着剤収容部を穿つ突起を設けることによって、前記流出手段を構成した請求項１乃至３の何れか一つ又は技術思想（１）に記載の遊技機用基板ケース。
【００８３】
このようにすれば、止め具の挿入操作に際して、突起を接着剤収容部に押し付けて穴を開けることによって、接着剤をより容易に流出せしめることが出来る。例えば、前記第二の実施形態においては、ピン６２の押圧板部７０の下面７９に突起９２が形成されており、接着剤収容部としての袋体９０ａ，９０ｂを穿つようにされている。
【００８４】
（３）前記接着剤収容部に開閉可能に蓋を設けて、前記止め具の挿入操作によって該止め具を該蓋に係合せしめて該蓋を開操作することによって、前記流出手段を構成した請求項１乃至３の何れか一つ又は技術思想（１）又は（２）に記載の遊技機用基板ケース。
【００８５】
このようにすれば、接着剤収容部の開操作を、より確実に行なうことが出来る。例えば、前記第四の実施形態においては、接着剤収容部としての収容空所１０２に蓋１０４が開閉可能に設けられており、ピン６２の挿入操作に際して、押圧板部７０が蓋１０４の作用突部１０６に係合することによって、蓋１０４が開操作されるようになっている。
【００８６】
（４）前記接着剤収容部に前記接着剤を流出せしめる排出路を設けると共に、該排出路が、挿入状態で固定された前記止め具の挿入操作端面よりも上方に位置せしめられている請求項１乃至３の何れか一つ又は技術思想（１）乃至（３）の何れか一つに記載の遊技機用基板ケース。
【００８７】
このようにすれば、接着剤が止め具の挿入操作端面の上方から流出せしめられることから、挿入操作端面をより確実に接着剤で覆うことが出来る。例えば前記第一の実施形態において、排出路としての排出孔５０は、挿入状態でのピン６２の押圧板部７０の上面７６よりも上方で内周面５１に開口せしめられている。
【図面の簡単な説明】
【００８８】
【図１】本発明の第一の実施形態としての遊技機用基板ケースの上面をモデル的に示す説明図。
【図２】同遊技機用基板ケースの側面をモデル的に示す説明図。
【図３】同遊技機用基板ケースを構成するケース本体の上面をモデル的に示す説明図。
【図４】同遊技機用基板ケースを構成する蓋部材の上面をモデル的に示す説明図。
【図５】図１におけるＶＩＩＩ−ＶＩＩＩ断面に相当し、止め具の挿入方法を示す要部拡大断面モデル図。
【図６】止め具の頭部を断面で示した側面モデル図。
【図７】同止め具の上面を示すモデル図。
【図８】図１におけるＶＩＩＩ−ＶＩＩＩ断面に相当する要部拡大断面モデル図。
【図９】本発明の第二の実施形態を示す要部拡大断面モデル図。
【図１０】本発明の第三の実施形態を示す要部拡大断面モデル図。
【図１１】本発明の第四の実施形態を示す要部拡大断面モデル図。
【図１２】接着剤に混入されたマイクロカプセルを説明するためのモデル図。
【図１３】異なる態様の止め具の頭部を断面で示した側面モデル図。
【符号の説明】
【００８９】
１０：基板ケース、１２：制御基板、１４：ケース本体、１６：蓋部材、２４：本体筒部、２５：ピン挿通孔、３４：蓋筒部、４２：ピン挿通孔、４４：頭部挿通孔、４６ａ，ｂ：収容空所、５４ａ：主剤、５４ｂ：硬化剤、６２：ピン、７０：押圧板部、８０：接着層
【図１】
2009207623.tif 000003
【図２】
2009207623.tif 000004
【図３】
2009207623.tif 000005
【図４】
2009207623.tif 000006
【図５】
2009207623.tif 000007
【図６】
2009207623.tif 000008
【図７】
2009207623.tif 000009
【図８】
2009207623.tif 000010
【図９】
2009207623.tif 000011
【図１０】
2009207623.tif 000012
【図１１】
2009207623.tif 000013
【図１２】
2009207623.tif 000014
【図１３】
2009207623.tif 000015